(57)【特許請求の範囲】
【請求項１】
密閉形圧縮機の内部を真空引きする真空ポンプと、上記密閉形圧縮機の内部に収納される電動機の固定子巻線の各巻線相と外部電源との間の接続を選択的に切り替えて通電する切替スイッチとを備え、
上記切替スイッチは、相隣なる一対の巻線相が順次直列に接続されるように切り替えることを特徴とする密閉形圧縮機内部の乾燥装置。
【請求項２】
密閉形圧縮機の内部を真空引きする真空ポンプと、上記密閉形圧縮機の内部に収納される電動機の固定子巻線の各巻線相と外部電源との間の接続を選択的に切り替えて通電する切替スイッチとを備え、
上記切替スイッチは、一個の巻線相を流れた電流が残りの他の巻線相に分流するとともに、次いで上記電流が上記他の巻線相に直列に流れるように接続を切り替えることを特徴とする密閉形圧縮機内部の乾燥装置。
【請求項３】
各巻線相の通電による発熱量が均一になるように接続を切り替えることを特徴とする請求項１または２に記載の密閉形圧縮機内部の乾燥装置。
【発明の詳細な説明】
【０００１】
【発明の属する技術分野】
この発明は、密閉形圧縮機の製造組立工程において実施される圧縮機内部の乾燥を、短時間で効率良く行う密閉形圧縮機内部の乾燥装置に関するものである。
【０００２】
【従来の技術】
一般に密閉形圧縮機は、圧縮機内部に水分が溜まっていたり、圧縮機内部の構成部品に水分が付着していると、これらの水分が冷媒と反応して塩素を発生したり、冷凍サイクル内で凍結して性能を低下させたりするので、これらを防止するために、製造組立工程において圧縮機内部の水分の除去、すなわち乾燥が行われている。
【０００３】
図６は例えば特開昭５５−９６３９３号公報等に開示された従来の密閉形圧縮機内部の乾燥装置の構成を示す概略図である。
図において、１は密閉形圧縮機、２はこの密閉形圧縮機１の内部に収納された電動機（図示せず）の固定子巻線で、各巻線相Ｕ、Ｖ、Ｗで構成されている。３は両巻線相Ｕ、Ｖに接続された外部電源、４は密閉形圧縮機１の吸入管１ａおよび吐出管１ｂに接続された真空ポンプである。
【０００４】
上記のように構成された乾燥装置においては、まず、吸入管１ａおよび吐出管１ｂに接続された真空ポンプ４を運転して、密閉形圧縮機の内部を真空引きするとともに、固定子巻線２の両巻線相Ｕ、Ｖに外部電源３により電圧をかけて通電し、両巻線相Ｕ、Ｖを発熱させて圧縮機内部を加熱する。このとき、圧縮機内部は真空引きにより圧力が著しく低下しており、水の沸点も大気圧下に比べて下がっているため、圧縮機内部の水分は気化して蒸気となり、吸入管１ａおよび吐出管１ｂから真空引きにより圧縮機外部に排出され、圧縮機内部の乾燥が行われる。
【０００５】
【発明が解決しようとする課題】
従来の密閉形圧縮機内部の乾燥は以上のようにして行われており、電動機を回転させないために、通電されるのは一部の巻線相Ｕ、Ｖのみで巻線相Ｗには通電されていないので、巻線相Ｗ近傍の温度は低く、巻線相Ｗおよびその周辺に存在する水分の蒸気が十分に行われないため、乾燥に長時間を要し効率が悪いという問題点があった。
【０００６】
この発明は上記のような問題点を解消するためになされたもので、圧縮機内部全域の温度を均一に上昇させることにより水分の蒸発を促進して、短時間で効率良く乾燥を行うことが可能な密閉形圧縮機内部の乾燥装置を提供することを目的とするものである。
【０００７】
【課題を解決するための手段】
この発明の請求項１に係る密閉形圧縮機内部の乾燥装置は、密閉形圧縮機の内部を真空引きする真空ポンプと、密閉形圧縮機の内部に収納される電動機の固定子巻線の各巻線相と外部電源との間の接続を選択的に切り替えて通電する切替スイッチとを備え、上記切替スイッチは、相隣なる一対の巻線相が順次直列に接続されるように切り替えるようにしたものである。
【０００８】
又、この発明の請求項２に係る密閉形圧縮機内部の乾燥装置は、密閉形圧縮機の内部を真空引きする真空ポンプと、密閉形圧縮機の内部に収納される電動機の固定子巻線の各巻線相と外部電源との間の接続を選択的に切り替えて通電する切替スイッチとを備え、上記切替スイッチは、一個の巻線相を流れた電流が残りの他の巻線相に分流するとともに、次いで電流が他の巻線相に直列に流れるように接続を切り替えるようにしたものである。
【０００９】
又、この発明の請求項３に係る密閉形圧縮機内部の乾燥装置は、請求項１または２において、各巻線相の通電による発熱量が均一になるように接続を切り替えるようにしたものである。
【００１０】
【発明の実施の形態】
実施の形態１．
以下、この発明の実施の形態を図に基づいて説明する。図１はこの発明の実施の形態１における密閉形圧縮機内部の乾燥装置の構成を示す概略図、図２は図１における固定子巻線に対して通電相を切り替えていく手順を説明する図である。
【００１１】
図において、１１は密閉形圧縮機、１２はこの密閉形圧縮機１１の内部に収納された電動機（図示せず）の固定子巻線で、各巻線相Ｕ、Ｖ、Ｗで三相に構成されている。１３は各巻線相Ｕ、Ｖ、Ｗにそれぞれ接続された外部電源、１４は各巻線相Ｕ、Ｖ、Ｗと外部電源１３との間に接続され、相隣なる一対の各巻線相Ｕ−Ｖ、Ｖ−Ｗ、Ｗ−Ｕが順次直列接続となるように切り替える切替スイッチ、１５は密閉形圧縮機１１の吸入管１１ａおよび吐出管１１ｂに接続された真空ポンプである。
【００１２】
次に、上記のように構成された実施の形態１における密閉形圧縮機内部の乾燥装置の動作について説明する。
まず、切替スイッチ１４を切り替えて、外部電源１３により図２（Ａ）に示すように両巻線相Ｕ−Ｖに通電して、両巻線相Ｕ、Ｖを発熱させて両巻線相Ｕ、Ｖおよびその周辺を加熱するとともに、真空ポンプ１５を運転させて吸入管１１ａおよび吐出管１１ｂから圧縮機内部の真空引きを行う。すると、圧縮機内部の圧力が低下して、両巻線相Ｕ、Ｖに付着する水分およびその周辺に存在する水分の蒸発が促進され、これらの水分は蒸気として圧縮機外に排出される。
【００１３】
次に、切替スイッチ１４をさらに切り替えて、外部電源１３により図２（Ｂ）に示すように両巻線相Ｖ−Ｗに通電して、両巻線相Ｖ、Ｗを発熱させて両巻線相Ｖ、Ｗおよびその周辺を加熱すると、上記と同様に圧縮機内部の圧力が低下しているため、両巻線相Ｖ、Ｗに付着する水分およびその周辺に存在する水分の蒸発が促進され、蒸気として圧縮機外に排出される。
【００１４】
次いで、切替スイッチ１４をさらに切り替えて、外部電源１３により図２（Ｃ）に示すように両巻線相Ｗ−Ｕに通電して、両巻線相Ｗ、Ｕを発熱させて両巻線相Ｗ−Ｕおよびその周辺を加熱すると、上記と同様に圧縮機内部の圧力が低下しているため、両巻線相Ｗ−Ｕに付着する水分およびその周辺に存在する水分の蒸発が促進され、蒸気として圧縮機外に排出される。そして、上記で説明したような図２（Ａ）、（Ｂ）、（Ｃ）の通電が繰り返されて圧縮機内部の乾燥が行われる。
【００１５】
このように上記実施の形態１によれば、真空ポンプ１５によって密閉形圧縮機１の内部を真空引きするとともに、固定子巻線１２の各巻線相Ｕ、Ｖ、Ｗと外部電源１３との間に接続される切替スイッチ１４を切り替えることにより、各巻線相Ｕ、Ｖ、Ｗに順次通電するようにしているので、各巻線相Ｕ、Ｖ、Ｗの発熱量の均一化を図ることができ、圧縮機内部全域の水分を満遍無く蒸発させることができるため、圧縮機内部の乾燥を短時間で効率良く行うことが可能になる。
【００１６】
実施の形態２．
図３はこの発明の実施の形態２における密閉形圧縮機内部の乾燥装置における固定子巻線に対して通電相を切り替えていく手順を説明する図である。
なお、本実施の形態２は、構成的には上記実施の形態１の場合と同様なので、通電相の切り替え手順以外は図１に基づいて説明を行う。
【００１７】
以下、実施の形態２における密閉形圧縮機内部の乾燥装置の動作について説明する。
まず、切替スイッチ１４を切り替えて、外部電源１３により図３（Ａ）に示すように巻線相Ｕを流れた電流が残りの他の巻線相Ｖ、Ｗに分流するように通電して、各巻線相Ｕ、Ｖ、Ｗを発熱させて各巻線相Ｕ、Ｖ、Ｗおよびその周辺を加熱するとともに、真空ポンプ１５を運転させて吸入管１１ａおよび吐出管１１ｂから圧縮機内部の真空引きを行う。すると、圧縮機内部の圧力が低下して、各巻線相Ｕ、Ｖ、Ｗに付着する水分およびその周辺に存在する水分の蒸発が促進され、これらの水分は蒸気として圧縮機外に排出される。
【００１８】
次に、切替スイッチ１４をさらに切り替えて、外部電源１３により図３（Ｂ）に示すように巻線相Ｕ以外の他の残りの巻線相Ｖ−Ｗに通電して、両巻線相Ｖ、Ｗを発熱させて両巻線相Ｖ、Ｗおよびその周辺を加熱する。すると、上記と同様に圧縮機内部の圧力が低下しているため、両巻線相Ｖ、Ｗに付着する水分およびその周辺に存在する水分の蒸発が促進され、蒸気として圧縮機外に排出される。そして、上記で説明したような図３（Ａ）、（Ｂ）の通電が繰り返されて圧縮機内部の乾燥が行われる。
【００１９】
このように上記実施の形態２によれば、切替スイッチ１４により巻線相Ｕを流れた電流が残りの他の巻線相Ｖ、Ｗに分流するように通電されるとともに、次いで、残りの他の巻線相Ｖ、Ｗに直列に通電されるように接続を切り替えているので、最初の切り替えで他の巻線相Ｖ、Ｗの２倍の電流が流れる巻線相Ｕには次の切り替えでは電流が流れず、他の巻線相Ｖ、Ｗのみに電流が流れることになり、巻線相Ｕのみが過度に発熱するという恐れもなくなって、全巻線相Ｕ、Ｖ、Ｗすべての発熱を均一にすることができるため、圧縮機内部の乾燥を短時間で効率良く行うことが可能になり、又、図３に示すように２段階の切り替え動作で全巻線相Ｕ、Ｖ、Ｗへの通電ができるため、通電相の切り替えが頻繁に行えない場合に有効となる。
【００２０】
実施の形態３．
図４はこの発明の実施の形態３における密閉形圧縮機内部の乾燥装置の構成を示す概略図、図５は図４における固定子巻線に対して通電相を切り替えていく手順を説明する図である。
なお、上記実施の形態１および２では、電動機が三相の場合について説明したが、この実施の形態３では電動機が単相の場合について説明する。
【００２１】
図において、２１は密閉形圧縮機、２２はこの密閉形圧縮機２１の内部に収納された電動機（図示せず）の固定子巻線で、主巻線相Ｍおよび補助巻線相Ｓで単相に構成されている。２３は主巻線相Ｍおよび補助巻線相Ｓにそれぞれ接続された外部電源、２４は両巻線相Ｍ、Ｓと外部電源２３との間に接続され、両巻線相Ｍ、Ｓが直列して接続、あるいは主巻線相Ｍのみが接続されるように切り替える切替スイッチ、２５は密閉形圧縮機２１の吸入管２１ａおよび吐出管２１ｂに接続された真空ポンプである。
【００２２】
次に、上記のように構成された実施の形態３における密閉形圧縮機内部の乾燥装置の動作について説明する。
まず、切替スイッチ２４を切り替えて、外部電源２３により図５（Ａ）に示すように主巻線相Ｍおよび補助巻線相Ｓに通電して、両巻線相Ｍ、Ｓを発熱させて両巻線相Ｍ、Ｓおよびその周辺を加熱するとともに、真空ポンプ２５を運転させて吸入管２１ａおよび吐出管２１ｂから圧縮機内部の真空引きを行う。すると、圧縮機内部の圧力が低下して、両巻線相Ｍ、Ｓに付着する水分およびその周辺に存在する水分の蒸発が促進され、これらの水分は蒸気として圧縮機外に排出される。
【００２３】
次に、切替スイッチ２４をさらに切り替えて、外部電源２３により図５（Ｂ）に示すように主巻線相Ｍのみに通電して、主巻線相Ｍを発熱させて主巻線相Ｍおよびその周辺を加熱すると、上記と同様に圧縮機内部の圧力が低下しているため、主巻線相Ｍに付着する水分およびその周辺に存在する水分の蒸発が促進され、これらの水分は蒸気として圧縮機外に排出される。そして、上記で説明したような図５（Ａ）、（Ｂ）の通電が繰り返されて圧縮機内部の乾燥が行われる。
【００２４】
このように上記実施の形態３によれば、切替スイッチ２４により主巻線相Ｍおよび補助巻線相Ｓを直列に流れるように通電されるとともに、次いで、主巻線相Ｍ側のみに通電されるように接続を切り替えているので、巻線量が多く発熱量の少ない主巻線相Ｍに次の切り替えでさらに電流が流れることになり、全巻線相Ｍ、Ｓすべての発熱を均一にすることができるため、圧縮機内部の乾燥を短時間で効率良く行うことが可能になり、又、発熱量の多い補助巻線相Ｓのみが過度に発熱するという恐れも防止される。
【００２５】
【発明の効果】
以上のように、この発明の請求項１によれば、密閉形圧縮機の内部を真空引きする真空ポンプと、密閉形圧縮機の内部に収納される電動機の固定子巻線の各巻線相と外部電源との間の接続を選択的に切り替えて通電する切替スイッチとを備え、上記切替スイッチは、相隣なる一対の巻線相が順次直列に接続されるように切り替えるようにしたので、圧縮機内部全域の温度を均一に上昇させることにより水分の蒸発を促進して、短時間で効率良く乾燥を行うことが可能な密閉形圧縮機内部の乾燥装置を提供することができる。
【００２６】
又、この発明の請求項２によれば、密閉形圧縮機の内部を真空引きする真空ポンプと、密閉形圧縮機の内部に収納される電動機の固定子巻線の各巻線相と外部電源との間の接続を選択的に切り替えて通電する切替スイッチとを備え、上記切替スイッチは、一個の巻線相を流れた電流が残りの他の巻線相に分流するとともに、次いで電流が他の巻線相に直列に流れるように接続を切り替えるようにしたので、短時間で効率良く乾燥を行うことが可能であることは勿論のこと、通電相の切り替えが頻繁に行えない場合にも適用可能な密閉形圧縮機内部の乾燥装置を提供することができる。
【００２７】
又、この発明の請求項３によれば、請求項１または２において、各巻線相の通電による発熱量が均一になるように接続を切り替えるようにしたので、短時間でさらに効率良く乾燥を行うことが可能な密閉形圧縮機内部の乾燥装置を提供することができる。
【図面の簡単な説明】
【図１】  この発明の実施の形態１における密閉形圧縮機内部の乾燥装置の構成を示す概略図である。
【図２】  図１における固定子巻線に対して通電相を切り替えていく手順を説明する図である。
【図３】  この発明の実施の形態２における密閉形圧縮機内部の乾燥装置における固定子巻線に対して通電相を切り替えていく手順を説明する図である。
【図４】  この発明の実施の形態３における密閉形圧縮機内部の乾燥装置の構成を示す概略図である。
【図５】  図４における固定子巻線に対して通電相を切り替えていく手順を説明する図である。
【図６】  従来の密閉形圧縮機内部の乾燥装置の構成を示す概略図である。
【符号の説明】
１１，２１  密閉形圧縮機、１２，２２  固定子巻線、１３，２３  外部電源、
１４，２４  切替スイッチ、１５，２５  真空ポンプ、Ｕ，Ｖ，Ｗ  巻線相、
Ｍ  主巻線相、Ｓ  補助巻線相。
【図１】
0003869132.tif 000002
【図２】
0003869132.tif 000003
【図３】
0003869132.tif 000004
【図４】
0003869132.tif 000005
【図５】
0003869132.tif 000006
【図６】
0003869132.tif 000007